(57)【要約】【課題】キャビネットを従来よりも簡易に設置することができるキャビネット設置方法を提供する。【解決手段】キャビネット１側に固定する掛止金具４に切り欠き６、６を設ける一方、コンクリート柱Ｐ側に固定する設置金具１１に切り欠き６、６を掛止可能な被掛止部１３、１３を設けており、まず設置金具１１及び架台１２を固定し、次にキャビネット１を設置金具１１に掛止し（仮止めし）た後、キャビネット１と設置金具１１（及び架台１２）とをネジ止めすることにより、キャビネット１をコンクリート柱Ｐに設置する。したがって、設置金具１１とキャビネット１とを別々にコンクリート柱Ｐへ固定していけばよく設置作業が簡易であるし、キャビネット１の設置金具１１へのネジ止めに際しては、キャビネット１を設置金具１１へ掛止した状態で行うことができ、設置作業が非常に簡易となる。【選択図】図８
2012186954.tif 000002
【特許請求の範囲】
【請求項１】
キャビネットを柱に設置するためのキャビネット設置方法であって、
前記キャビネットを組み立てるとともに、前記キャビネットに掛止部を有するキャビネット側取付金具を固定する第１工程と、
前記柱の所定位置に、前記掛止部が掛止可能な被掛止部を有する柱側取付金具を固定する第２工程と、
前記掛止部を前記被掛止部へ掛止させ、前記キャビネットを前記柱側取付金具に仮止めする第３工程と、
前記仮止め状態にある前記キャビネットを前記柱側取付金具に固定する第４工程と
を実行することを特徴とするキャビネット設置方法。
【請求項２】
キャビネットを柱に設置するためのキャビネット設置方法であって、
前記柱の所定位置に、被掛止部を有する柱側取付金具を固定する第１工程と、
前記キャビネットを組み立てるとともに、前記被掛止部に掛止可能な掛止部を有するキャビネット側取付金具を前記キャビネットに固定する第２工程と、
前記掛止部を前記被掛止部へ掛止させ、前記キャビネットを前記柱側取付金具に仮止めする第３工程と、
前記仮止め状態にある前記キャビネットを前記柱側取付金具に固定する第４工程と
を実行することを特徴とするキャビネット設置方法。
【請求項３】
前記柱側取付金具が、第１取付金具と、前記第１取付金具よりも大きな第２取付金具とに分解可能であるとともに、前記第１取付金具に前記被掛止部を、前記第２取付金具に前記被掛止部に掛止可能な引掛部を夫々設けており、
前記柱の所定位置に、前記柱側取付金具を固定する工程において、まず前記第１取付金具を前記柱に固定し、次に前記第２取付金具の引掛部を前記被掛止部に掛止させて、前記第２取付金具を前記第１取付金具に仮止めした後、前記第２取付金具を、前記第１取付金具に固定するとともに前記柱へ固定することを特徴とする請求項１又は２に記載のキャビネット設置方法。
【発明の詳細な説明】
【技術分野】
【０００１】
本発明は、電気機器等を内蔵するキャビネットをコンクリート柱等へ設置するためのキャビネット設置方法に関するものである。
【背景技術】
【０００２】
従来、コンクリート製の電柱等へキャビネットを設置する構造としては、たとえば特許文献１に開示されているような設置構造が知られている。つまり、キャビネットを柱体へ設置するに際し、キャビネットを直接柱体へ固定するのではなく、キャビネットと柱体との間に取付金具を介在させるように構成されている。
【先行技術文献】
【特許文献】
【０００３】
【特許文献１】特開２０００−９２６７１号公報
【発明の概要】
【発明が解決しようとする課題】
【０００４】
しかしながら、従来、上記設置構造によりキャビネットを設置するに際しては、まずキャビネットを地上で組み立てて、該キャビネットに取付金具を固定した後、キャビネットを吊り上げ、吊り上げ状態においてキャビネットと一体化された取付金具を柱体へ固定していた。したがって、取付金具を固定しただけ重量の増したキャビネットを吊り上げたり、当該吊り上げ状態にあるキャビネット及び取付金具を柱体へ固定したりしなければならず、ただでさえ困難な柱上での作業が一層困難になるという問題があった。
【０００５】
そこで、本発明は、上記問題に鑑みなされたものであって、キャビネットを従来よりも簡易に設置することができるキャビネット設置方法を提供しようとするものである。
【課題を解決するための手段】
【０００６】
上記目的を達成するために、本発明のうち請求項１に記載の発明は、キャビネットを柱に設置するためのキャビネット設置方法であって、前記キャビネットを組み立てるとともに、前記キャビネットに掛止部を有するキャビネット側取付金具を固定する第１工程と、前記柱の所定位置に、前記掛止部が掛止可能な被掛止部を有する柱側取付金具を固定する第２工程と、前記掛止部を前記被掛止部へ掛止させ、前記キャビネットを前記柱側取付金具に仮止めする第３工程と、前記仮止め状態にある前記キャビネットを前記柱側取付金具に固定する第４工程とを実行することを特徴とする。
また、上記目的を達成するために、本発明のうち請求項２に記載の発明は、キャビネットを柱に設置するためのキャビネット設置方法であって、前記柱の所定位置に、被掛止部を有する柱側取付金具を固定する第１工程と、前記キャビネットを組み立てるとともに、前記被掛止部に掛止可能な掛止部を有するキャビネット側取付金具を前記キャビネットに固定する第２工程と、前記掛止部を前記被掛止部へ掛止させ、前記キャビネットを前記柱側取付金具に仮止めする第３工程と、前記仮止め状態にある前記キャビネットを前記柱側取付金具に固定する第４工程とを実行することを特徴とする。
請求項３に記載の発明は、請求項１又は２に記載の発明において、前記柱側取付金具が、第１取付金具と、前記第１取付金具よりも大きな第２取付金具とに分解可能であるとともに、前記第１取付金具に前記被掛止部を、前記第２取付金具に前記被掛止部に掛止可能な引掛部を夫々設けており、前記柱の所定位置に、前記柱側取付金具を固定する工程において、まず前記第１取付金具を前記柱に固定し、次に前記第２取付金具の引掛部を前記被掛止部に掛止させて、前記第２取付金具を前記第１取付金具に仮止めした後、前記第２取付金具を、前記第１取付金具に固定するとともに前記柱へ固定することを特徴とする。
【発明の効果】
【０００７】
本発明によれば、キャビネットを柱に設置するに際して、掛止部を被掛止部へ掛止させ、キャビネットを柱側取付金具に仮止めした後、仮止め状態にあるキャビネットを柱側取付金具に固定するため、柱側取付金具とキャビネットを順次柱へ固定していくことがよく、設置作業が簡易であるし、キャビネットの柱側取付金具への固定に際しては、キャビネットを柱側取付金具へ仮止めした状態で行うことができ、設置作業が非常に簡易となる。
また、請求項３に記載の発明によれば、柱側取付金具が、第１取付金具と、第１取付金具よりも大きな第２取付金具とに分解可能であるとともに、第１取付金具に被掛止部を、第２取付金具に被掛止部に掛止可能な引掛部を夫々設けており、柱の所定位置に、柱側取付金具を固定する工程において、まず第１取付金具を柱に固定し、次に第２取付金具の引掛部を被掛止部に掛止させて、第２取付金具を第１取付金具に仮止めした後、第２取付金具を、第１取付金具に固定するとともに柱へ固定するため、比較的大きな第２取付金具の柱への固定が容易であり、ひいてはキャビネットの設置作業が極めて簡易となる。
【図面の簡単な説明】
【０００８】
【図１】キャビネット側の組み立てを示した説明図である。
【図２】設置金具をコンクリート柱に固定した状態を示した説明図である。
【図３】設置金具へ架台を掛止する様子を示した説明図である。
【図４】切り欠き凹部を被掛止部へ掛止させる様子を拡大して示した説明図である。
【図５】設置金具に架台が仮止めされた状態を示した説明図である。
【図６】架台を柱に固定する様子を示した説明図である。
【図７】キャビネットを設置金具及び架台に仮止めする様子を示した説明図である。
【図８】キャビネットを設置金具及び架台に仮止めする様子を示した説明図である。
【図９】切り欠きを被掛止部へ掛止させる様子を拡大して示した説明図である。
【図１０】キャビネットが柱に設置された状態を示した説明図である。
【発明を実施するための形態】
【０００９】
以下、本発明の一実施形態となるキャビネット設置方法について、図面にもとづき詳細に説明する。
【００１０】
図１〜図１０は、キャビネット１をコンクリート柱Ｐへ設置するまでの設置作業を示した説明図である。
キャビネット１は、図１に示す如く、所定の一面、ここでは右側面が開口する角箱状の本体２と、本体２の開口を開閉する扉体３とを備えてなり、後面をコンクリート柱Ｐ側へ向けた姿勢で設置されるようになっている。そして、このキャビネット１には、コンクリート柱Ｐへ設置するためのキャビネット側取付金具として掛止金具４と、支持金具５、５とが固定される。掛止金具４は、左右方向へ長い金属板を前後方向に折り曲げてなるものであって、該掛止金具４の上部は、本体２の後面上部へネジ止めされるネジ止め片４ａとなっている。また、ネジ止め片４ａの下端から後方へ曲げ起こされた後に下方へ垂設されてなる下部には、左右両端に下方へ開口する一対の切り欠き６、６が設けられており、後述する設置金具１１の被掛止部１３、１３に掛止可能な掛止片４ｂとして機能する。一方、支持金具５は、コ字状に折り曲げられてなる金属板であって、本体２の下面の前縁と後縁とに開放側を対向させた姿勢で固定される。尚、７は、支持金具５を本体２にネジ止めするためのネジ孔であり、８は、支持金具５を後述する架台１２にネジ止めするためのネジ孔である。また、９は、本体２の上面に取り付けられ、キャビネット１を吊り上げるためのアンカー部材である。
【００１１】
また、キャビネット１をコンクリート柱Ｐへ設置するための取付金具であって、コンクリート柱Ｐ側へ固定される柱側取付金具は、図２及び図３に示す設置金具１１と架台１２とからなる。設置金具１１は、金属板を折り曲げて左右方向へ長い筒状に成形してなるものであって、その前面の左右両端部には架台１２や掛止金具４を掛止して仮止めするための被掛止部１３、１３が設けられている。各被掛止部１３は、四角形状のボルト頭１３ａを有する４角ボルトと、該ボルト頭１３ａに固着された板状の被掛止片１３ｃとからなる。また、設置金具１１の後面には、表面が円弧凹状に形成されてコンクリート柱Ｐの周面に当接可能とされた当接部１４が設けられている。そして、当該設置金具１１は、当接部１４をコンクリート柱Ｐの周面に当接させた状態で、バンド２１によりコンクリート柱Ｐに固定可能となっている。一方、架台１２は、設置金具１１よりも大きな部材であって、前面側からみると四角形枠状に組み付けられた枠体１５と、枠体１５の左右両下部からフォーク状に前方へ突出された一対の支持部１６、１６とを一体的に備えてなる。枠体１５の上辺部には、下方へ開口する切り欠き凹部１７、１７が設けられており、切り欠き凹部１７、１７と被掛止部１３（具体的には４角ボルトの軸部１３ｂ）との掛止により、架台１２を設置金具１１に仮止め可能となっている。また、枠体１５の下辺部の後面には、上記当接部１４同様に構成された当接部１８が設けられており、該当接部１８をコンクリート柱Ｐの周面に当接させた状態で、バンド２２により架台１２をコンクリート柱Ｐに固定可能となっている。尚、１９は、支持部１６上にキャビネット１の支持金具５をネジ止めするためのネジ孔である。
【００１２】
ここで、本発明の要部となる上記取付金具を用いたキャビネット１のコンクリート柱Ｐへの設置方法について説明する。
まず、地上でキャビネット１を組み立てるとともに、ネジ止め片４ａが上方、掛止片４ｂが下方となる姿勢で掛止金具４をキャビネット１の後面上部にネジ止めする。また、キャビネット１の下面の前縁及び後縁に、支持金具５、５を開放側が対向する姿勢でネジ止めする（図１）。
次に、コンクリート柱Ｐの所定の高さ位置に、被掛止部１３、１３が前面を向く姿勢で設置金具１１をバンド２１により固定する（図２）。また、架台１２を吊り上げ（図３）、切り欠き凹部１７、１７を被掛止部１３、１３へ上方から掛止させ（図４）、架台１２を設置金具１１へ仮止めする（図５）。その後、図示しない金具やネジ等を用いて設置金具１１と架台１２とを一体化するとともに、バンド２２を用いて架台１２をコンクリート柱Ｐに固定する（図６（ａ）、（ｂ））。
【００１３】
さらに、キャビネット１を吊り上げ（図７、図８）、掛止金具４の切り欠き６、６を被掛止部１３、１３へ上方から掛止させ（図９）、キャビネット１を架台１２上に仮止めする。最後に、支持金具５、５と架台１２とをネジ止めするとともに、掛止金具４と設置金具１１とを図示しないネジ等により一体化すれば、キャビネット１のコンクリート柱Ｐへの設置作業は完了となる。
【００１４】
以上のようなキャビネット１の設置方法によれば、キャビネット１側に固定する掛止金具４に切り欠き６、６を設ける一方、コンクリート柱Ｐ側に固定する設置金具１１に切り欠き６、６を掛止可能な被掛止部１３、１３を設けており、まず設置金具１１及び架台１２を固定し、次にキャビネット１を設置金具１１に掛止し（仮止めし）た後、キャビネット１と設置金具１１（及び架台１２）とをネジ止めすることにより、キャビネット１をコンクリート柱Ｐに設置する。したがって、設置金具１１とキャビネット１とを別々にコンクリート柱Ｐへ固定していけばよく設置作業が簡易であるし、キャビネット１の設置金具１１へのネジ止めに際しては、キャビネット１を設置金具１１へ掛止した状態で行うことができ、設置作業が非常に簡易となる。
【００１５】
また、コンクリート柱Ｐ側へ固定する柱側取付金具が設置金具１１と設置金具１１よりも大きな架台１２とに分解可能となっているとともに、該柱側取付金具のコンクリート柱Ｐへの固定に関しても、まず設置金具１１を固定し、次に架台１２を設置金具１１に掛止し（仮止めし）た後、設置金具１１と架台１２とをネジ止めするとともに、架台１２をコンクリート柱Ｐへ固定することになる。したがって、架台１２のコンクリート柱Ｐへの固定が容易であり、ひいてはキャビネット１の設置作業が極めて簡易となる。
【００１６】
なお、本発明に係るキャビネット設置方法は、上記実施形態の態様に何ら限定されるものではなく、設置金具等の各取付金具やキャビネットの構成は勿論、設置作業の順序についても必要に応じて適宜変更することができる。
【００１７】
たとえば、上記実施形態では、まずキャビネット１を組み立てた後に設置金具１１及び架台１２をコンクリート柱Ｐに固定しているが、設置金具１１及び架台１２をコンクリート柱Ｐに固定した後、キャビネット１を組み立てても何ら問題はない。
また、コンクリート柱Ｐへ固定する柱側取付金具に関して、設置金具１１と架台１２とに分解できないような予め一体化された金具を採用したとしても、キャビネット１の設置作業の簡易化を図ることは可能である。
【００１８】
さらに、キャビネット１を設置金具１１に仮止めするに際して、キャビネット１側の切り欠き６、６を設置金具１１の被掛止部１３、１３へ掛止させるという構成を採用しているが、キャビネット１側に突起を、設置金具１１側に突起が嵌入可能な筒状部を夫々設け、突起を筒状部内へ嵌入させて掛止させる等の構成を採用してもよく、掛止機構に関しても適宜設計変更可能である。
加えて、設置金具１１や架台１２のコンクリート柱Ｐへの固定に関しても、ネジ止め等、バンド２１、２２以外の部材を用いて固定しても何ら問題はないし、本発明に係るキャビネット設置方法は、コンクリート柱ではなく木製の柱等、他の柱への設置作業としても好適に採用することができる。
【符号の説明】
【００１９】
１・・キャビネット、２・・本体、３・・扉体、４・・掛止金具（キャビネット側取付金具）、５・・支持金具、６・・切り欠き（掛止部）、１１・・設置金具（柱側取付金具、第１取付金具）、１２・・架台（柱側取付金具、第２取付金具）、１３・・被掛止部、１４・・当接部、１５・・枠体、１６・・支持部、１７・・切り欠き凹部（引掛部）、１８・・当接部、１９・・ネジ孔、２１、２２・・バンド。
【図１】
2012186954.tif 000003
【図２】
2012186954.tif 000004
【図３】
2012186954.tif 000005
【図４】
2012186954.tif 000006
【図５】
2012186954.tif 000007
【図６】
2012186954.tif 000008
【図７】
2012186954.tif 000009
【図８】
2012186954.tif 000010
【図９】
2012186954.tif 000011
【図１０】
2012186954.tif 000012